(57)【要約】【課題】任意に選択された表示対象期間を年単位、月単位、日単位の何れかで区分した区分期間に対応して、画像貼付用の区分領域を配置した一覧画面において区分期間内で撮影された撮影画像を対応する区分領域内に割り当て配置する際に、区分毎に最適な画像を選択して配置できるようにする。【解決手段】ＣＰＵ１は、キー入力部４から任意の期間が表示対象期間として指定された場合に、この表示対象期間を月単位、日単位の何れかで区分すると共に、各区分期間に対応して、画像貼付用の区分領域を配置したカレンダ画面を生成してＴＶ受像機５側の画面に表示出力させるほか、区分領域毎にその区分期間内で撮影された撮影画像をカレンダ画面内の対応する区分領域内にそれぞれ割り当て配置する際に、区分領域内に対応する全ての撮影画像を配置不能な場合には、撮影画像に対応して予め設定されている操作履歴情報に基づいて優先的に表示する画像を選択して当該区分領域内に配置する。【選択図】  図1
2006157778.tif 000002
【特許請求の範囲】
【請求項１】
撮影画像をその撮影日時に基づいて選択的に読み出して再生表示する画像再生装置であって、
任意の期間を表示対象期間として指定する指定手段と、
この指定手段によって任意の表示対象期間が指定された場合に、この表示対象期間を年単位、月単位、日単位の何れかで区分すると共に、各区分期間に対応して画像貼付用の区分領域を配置した一覧画面を生成して表示する第1の表示制御手段と、
各撮影画像の撮影日時を参照することによって前記区分領域毎にその区分期間内で撮影された撮影画像を特定する特定手段と、
この特定手段によって区分期間毎に特定された撮影画像を前記一覧画面内の対応する区分領域内にそれぞれ割り当て配置する際に、区分領域内に対応する全ての撮影画像を配置不能な場合には、これらの撮影画像に対応して予め設定されている操作履歴情報に基づいて優先的に表示する画像を選択して当該区分領域内に配置する第２の表示制御手段と、
を具備したことを特徴とする画像再生装置。
【請求項２】
前記指定手段によって任意の表示対象期間が指定された場合に、この表示対象期間に関連する時代情報を取得する取得手段と、
この取得手段によって得られた時代情報を前記一覧画面の表示に合わせて出力する出力手段と、
を設けたことを特徴とする請求項1記載の画像再生装置。
【請求項３】
前記表示対象期間に関連する時代情報は、文字データ、画像データの何れかを含む表示用の情報であり、
前記出力手段は、前記一覧画面内の一部の領域に時代情報を表示する、
ようにしたことを特徴とする請求項２記載の画像再生装置。
【請求項４】
前記取得手段は、表示対象期間に関連する時代情報を取得するほかに、前記一覧画面内に貼付表示される個々の画像の区分期間に関連する時代情報を個別の時代情報として取得し、
前記出力手段は、前記一覧画面内から任意の画像が選択指定された際に、この選択画像に対応する個別の時代情報を出力する、
ようにしたことを特徴とする請求項２記載の画像再生装置。
【請求項５】
前記一覧画面内から任意の画像が選択指定された際に、この選択画像に対応する個別の時代情報をポップアップ表示する、
ようにしたことを特徴とする請求項４記載の画像再生装置。
【請求項６】
前記撮影画像に対応して予め設定されている操作履歴情報は、過去にその画像を出力した出力実績を示す出力履歴情報であり、
前記第２の表示制御手段は、撮影画像の出力履歴情報を参照し、出力実績に応じて優先表示する画像を選択する、
ようにしたことを特徴とする請求項１記載の画像再生装置。
【請求項７】
前記第２の表示制御手段は、操作履歴情報に基づいて優先的に表示する画像を選択して区分領域内に配置する際に、この区分領域内に貼り付け可能な数の画像を選択すると共に、選択された各画像をその操作履歴情報に応じた並び順で配置する、
ようにしたことを特徴とする請求項１記載の画像再生装置。
【請求項８】
複数の撮影画像をその撮影日時に基づいて選択的に読み出して再生表示する画像再生装置であって、
任意の期間を表示対象期間として指定する指定手段と、
この指定手段によって任意の表示対象期間が指定された場合に、この表示対象期間を年単位、月単位、日単位の何れかで区分すると共に、各区分期間に対応して画像貼付用の区分領域を配置した一覧画面を生成して表示する第1の表示制御手段と、
各撮影画像の撮影日時を参照することによって前記区分領域毎にその区分期間内で撮影された撮影画像を特定する特定手段と、
この特定手段によって区分期間毎に特定された撮影画像を前記一覧画面内の対応する区分領域内にそれぞれ割り当て配置する第２の表示制御手段と、
前記一覧画面内において撮影画像が割り当てられた区分領域毎に、その区分期間に関連する時代情報を取得する取得手段と、
この取得手段によって得られた時代情報を前記一覧画面の表示に合わせて出力する出力手段と、
を具備したことを特徴とする画像再生装置。
【請求項９】
前記取得手段は、撮影画像が割り当てられた区分領域が複数存在する場合に、この区分毎に時代情報をそれぞれ取得し、
前記出力手段は、この取得手段によって得られた複数の時代情報を順次出力する、
ようにしたことを特徴とする請求項８記載の画像再生装置。
【請求項１０】
前記取得手段は、撮影画像が割り当てられた区分領域が複数存在する場合に、この区分毎に時代情報をそれぞれ取得しておき、
前記出力手段は、前記一覧画面内から任意の画像が選択指定された際に、この選択画像に対応する時代情報を出力する、
ようにしたことを特徴とする請求項８記載の画像再生装置。
【請求項１１】
コンピュータに対して、
任意の表示対象期間が指定された場合に、この表示対象期間を年単位、月単位、日単位の何れかで区分すると共に、各区分期間に対応して画像貼付用の区分領域を配置した一覧画面を生成して表示する機能と、
各撮影画像の撮影日時を参照することによって前記区分領域毎にその区分期間内で撮影された撮影画像を特定する機能と、
区分期間毎に特定された撮影画像を前記一覧画面内の対応する区分領域内にそれぞれ割り当て配置する際に、区分領域内に対応する全ての撮影画像を配置不能な場合には、これらの撮影画像に対応して予め設定されている操作履歴情報に基づいて優先的に表示する画像を選択して当該区分領域内に配置する機能と、
を実現させるためのプログラム。
【請求項１２】
コンピュータに対して、
任意の表示対象期間が指定された場合に、この表示対象期間を年単位、月単位、日単位の何れかで区分すると共に、各区分期間に対応して画像貼付用の区分領域を配置した一覧画面を生成して表示する機能と、
各撮影画像の撮影日時を参照することによって前記区分領域毎にその区分期間内で撮影された撮影画像を特定する機能と、
区分期間毎に特定された撮影画像を前記一覧画面内の対応する区分領域内にそれぞれ割り当て配置する機能と、
前記一覧画面内において撮影画像が割り当てられた区分領域毎に、その区分期間に関連する時代情報を取得する機能と、
取得した時代情報を前記一覧画面の表示に合わせて出力する機能と、
を実現させるためのプログラム。
【発明の詳細な説明】
【技術分野】
【０００１】
この発明は、撮影画像をその撮影日時に基づいて選択的に読み出して再生表示する画像再生装置およびプログラムに関する。
【背景技術】
【０００２】
従来、カメラ撮影された複数の撮影画像を保管すると共に、保管されている各画像をその撮影日時に基づいて選択的に読み出して再生表示するものとしては、たとえば、日付毎に分類分けした撮影画像を１日１枚に制限してカレンダー画像として一覧表示するようにした画像再生装置が知られている（特許文献１参照）。
他方、撮影画像の再生時において、この画像に関連する情報を表示するものとしては、たとえば、撮影場所、被写体に関する情報を撮影画像と共に表示するようにした画像再生装置が知られている（特許文献２参照）。
【特許文献１】特開２００４−２６０７１０号公報
【特許文献２】特開２００１−０９２８３５号公報
【発明の開示】
【発明が解決しようとする課題】
【０００３】
すなわち、上述した特許文献１の技術にあっては、１ヶ月分のカレンダ画面内に撮影画像を日単位に割り当て配置することによって撮影画像を日付に対応付けて閲覧可能となるが、カレンダ画面内に割り当て配置される画像を１日１枚に制限している関係上、同じ日に複数の画像を撮影した場合には、その先頭画像を選んで表示することを前提としている。また、上述した特許文献２の技術にあっては、撮影場所、被写体に関する情報を受信取得して撮影画像と共に表示することによって、旅先での思い出、印象を蘇らせることが可能となるが、撮影画像と共に閲覧可能な情報は、撮影場所、被写体に関する情報に特定することを前提としている。
【０００４】
ところで、撮影画像を日単位で割り当て配置することによって一覧表示(カレンダ表示)する場合において、同じ日に撮影した複数の画像の中から任意に選択された画像を表示するようにすれば、自分の好みに合った画像のみをカレンダ表示することが可能となるが、日毎に所望する画像を選択操作することは、同じ日に撮影した画像数が多いほど、その選択操作が煩雑となり、ユーザに大きな負担をかけてしまう。
一方、昔の撮影画像をカレンダ表示する場合に、その時代に起きた出来事などを画像と共に表示するようにすれば、たとえば、画像を閲覧しながら昭和の中期、後期などでの思い出、印象などを蘇らせることが可能となるが、昭和の中期、後期などの単位では漠然としたものとなってしまう。
【０００５】
第１の発明の課題は、任意に選択された表示対象期間を年単位、月単位、日単位の何れかで区分した区分期間に対応して、画像貼付用の区分領域を配置した一覧画面において区分期間内で撮影された撮影画像を対応する区分領域内に割り当て配置する際に、区分毎に最適な画像を選択して配置できるようにすることである。
【０００６】
第２の発明の課題は、任意に選択された表示対象期間を年単位、月単位、日単位の何れかで区分した区分期間に対応して、画像貼付用の区分領域を配置した一覧画面において区分期間内で撮影された撮影画像を対応する区分領域内に表示する際に、その区分期間での思い出、印象などを想起可能な時代情報を合わせて出力できるようにすることである。
【課題を解決するための手段】
【０００７】
請求項１記載の発明（第１の発明）は、撮影画像をその撮影日時に基づいて選択的に読み出して再生表示する画像再生装置であって、任意の期間を表示対象期間として指定する指定手段と、この指定手段によって任意の表示対象期間が指定された場合に、この表示対象期間を年単位、月単位、日単位の何れかで区分すると共に、各区分期間に対応して画像貼付用の区分領域を配置した一覧画面を生成して表示する第1の表示制御手段と、各撮影画像の撮影日時を参照することによって前記区分領域毎にその区分期間内で撮影された撮影画像を特定する特定手段と、この特定手段によって区分期間毎に特定された撮影画像を前記一覧画面内の対応する区分領域内にそれぞれ割り当て配置する際に、区分領域内に対応する全ての撮影画像を配置不能な場合には、これらの撮影画像に対応して予め設定されている操作履歴情報に基づいて優先的に表示する画像を選択して当該区分領域内に配置する第２の表示制御手段とを具備したことを特徴とする。
さらに、コンピュータに対して、上述した請求項１記載の発明に示した主要機能を実現させるためのプログラムを提供する（請求項１１記載の発明）。
【０００８】
なお、「表示対象期間」は、表示対象となる画像をその撮影日時に基づいて選択するためにユーザが任意に指定した期間であり、たとえば、１９６０年と指定したり、１９６０年９月と指定するほかに、１９６０年〜１９６５年、１９６０年代、１９６０年９月〜１２月、１９６０年９月１０日〜２０日などのように指定された情報である。このように任意の複数年、複数月、複数日を表示対象期間として指定するようにしてもよく、どのように期間を指定するかは任意である。また、「操作履歴情報」は、撮影済みの各画像毎に、その画像に対してユーザが過去に操作した操作状況を示す情報である。  
【０００９】
なお、請求項１記載の発明は次のようなものであってもよい。
前記指定手段によって任意の表示対象期間が指定された場合に、この表示対象期間に関連する時代情報を取得する取得手段と、この取得手段によって得られた時代情報を前記一覧画面の表示に合わせて出力する出力手段とを設ける（請求項２記載の発明）。
【００１０】
この場合、前記表示対象期間に関連する時代情報は、文字データ、画像データの何れかを含む表示用の情報であり、前記出力手段は、前記一覧画面内の一部の領域に時代情報を表示するようにしてもよい（請求項３記載の発明）。
また、前記取得手段は、表示対象期間に関連する時代情報を取得するほかに、前記一覧画面内に貼付表示される個々の画像の区分期間に関連する時代情報を個別の時代情報として取得し、前記出力手段は、前記一覧画面内から任意の画像が選択指定された際に、この選択画像に対応する個別の時代情報を出力するようにしてもよい（請求項４記載の発明）。この場合、前記一覧画面内から任意の画像が選択指定された際に、この選択画像に対応する個別の時代情報をポップアップ表示するようにしてもよい（請求項５記載の発明）。
【００１１】
前記撮影画像に対応して予め設定されている操作履歴情報は、過去にその画像を出力した出力実績を示す出力履歴情報であり、前記第２の表示制御手段は、撮影画像の出力履歴情報を参照し、出力実績に応じて優先表示する画像を選択する（請求項６記載の発明）。
【００１２】
前記第２の表示制御手段は、操作履歴情報に基づいて優先的に表示する画像を選択して区分領域内に配置する際に、この区分領域内に貼り付け可能な数の画像を選択すると共に、選択された各画像をその操作履歴情報に応じた並び順で配置する（請求項７記載の発明）。
【００１３】
請求項８記載の発明（第２の発明）は、複数の撮影画像をその撮影日時に基づいて選択的に読み出して再生表示する画像再生装置であって、任意の期間を表示対象期間として指定する指定手段と、この指定手段によって任意の表示対象期間が指定された場合に、この表示対象期間を年単位、月単位、日単位の何れかで区分すると共に、各区分期間に対応して画像貼付用の区分領域を配置した一覧画面を生成して表示する第1の表示制御手段と、各撮影画像の撮影日時を参照することによって前記区分領域毎にその区分期間内で撮影された撮影画像を特定する特定手段と、この特定手段によって区分期間毎に特定された撮影画像を前記一覧画面内の対応する区分領域内にそれぞれ割り当て配置する第２の表示制御手段と、前記一覧画面内において撮影画像が割り当てられた区分領域毎に、その区分期間に関連する時代情報を取得する取得手段と、この取得手段によって得られた時代情報を前記一覧画面の表示に合わせて出力する出力手段とを具備したことを特徴とする。
さらに、コンピュータに対して、上述した請求項８記載の発明に示した主要機能を実現させるためのプログラムを提供する（請求項１２記載の発明）。
【００１４】
なお、請求項８記載の発明は次のようなものであってもよい。
前記取得手段は、撮影画像が割り当てられた区分領域が複数存在する場合に、この区分毎に時代情報をそれぞれ取得し、前記出力手段は、この取得手段によって得られた複数の時代情報を順次出力する（請求項９記載の発明）。
【００１５】
前記取得手段は、撮影画像が割り当てられた区分領域が複数存在する場合に、この区分毎に時代情報をそれぞれ取得しておき、前記出力手段は、前記一覧画面内から任意の画像が選択指定された際に、この選択画像に対応する時代情報を出力する（請求項１０記載の発明）。
【発明の効果】
【００１６】
請求項１記載の発明（第１の発明）によれば、任意の期間が表示対象期間として指定された場合に、この表示対象期間を年単位、月単位、日単位の何れかで区分すると共に、各区分期間に対応して、画像貼付用の区分領域を配置した一覧画面を生成表示するほか、区分領域毎にその区分期間内で撮影された撮影画像を一覧画面内の対応する区分領域内にそれぞれ割り当て配置する際に、区分領域内に対応する全ての撮影画像を配置不能な場合には、撮影画像に対応して予め設定されている操作履歴情報に基づいて優先的に表示する画像を選択して当該区分領域内に配置するようにしたから、区分毎に最適な画像を自動的に選択して割り当て配置することができる。たとえば、カレンダ画面内に各日付毎の撮影画像を割り当て配置する際に、日毎に所望する画像を選択する操作を行わなくても、過去の操作履歴から自動選択された画像をカレンダ画面内に配置することが可能となる。
【００１７】
請求項２記載の発明によれば、上述した請求項１記載の発明と同様の効果を有する他、任意の表示対象期間が指定された場合に、この表示対象期間に関連する時代情報を取得して一覧画面の表示に合わせて出力するようにしたから、その指定期間での出来事、流行などを一覧画面内の各画像を見ながら知ることができ、その時代での思い出、印象などを蘇らせることが可能となる。
【００１８】
この場合、文字データ、画像データなどの時代情報を一覧画面内の一部の領域に表示するようにすれば（請求項３記載の発明）、画像一覧と時代情報との対応が明瞭となる。また、一覧画面内に貼付表示される個々の画像の区分期間に関連する時代情報を個別の時代情報を取得し、一覧画面内から任意の画像が選択指定された際に、この選択画像に対応する個別の時代情報を出力するようにすれば（請求項４記載の発明）、表示期間の全体に関連する時代情報のほか、画像とリンクした時代情報を知ることができる。この際、一覧画面内から任意の画像が選択指定された際に、この選択画像に対応する個別の時代情報をポップアップ表示すれば（請求項５記載の発明）、選択画像と時代情報とを対応付けることが可能となる。
【００１９】
請求項６記載の発明によれば、上述した請求項１記載の発明と同様の効果を有する他、撮影画像に対応して予め設定されている操作履歴情報は、過去にその画像を出力した出力実績を示す出力履歴情報であり、撮影画像の出力履歴情報を参照することによって出力実績に応じて優先表示する画像を選択するようにしたから、たとえば、画像の閲覧回数(再生回数)、印刷有無、電子メール添付の有無などによって、価値の高い最適な画像を代表画像として選択することができる。
【００２０】
請求項７記載の発明によれば、上述した請求項１記載の発明と同様の効果を有する他、操作履歴情報に基づいて優先的に表示する画像を選択して区分領域内に配置する際に、この区分領域内に貼り付け可能な数の画像を選択すると共に、選択された各画像をその操作履歴情報に応じた並び順で配置するようにしたから、１つの区分領域内に複数の画像を配置する場合に、この領域内に貼り付け可能な各画像を選択して優先順に配置することができる。
【００２１】
請求項８記載の発明（第２の発明）によれば、任意の表示対象期間が指定された場合に、この表示対象期間を年単位、月単位、日単位の何れかで区分すると共に、各区分期間に対応して、画像貼付用の区分領域を配置した一覧画面を生成表示するほか、区分領域毎にその区分期間内で撮影された撮影画像を特定し、この区分毎に特定された撮影画像を一覧画面内の対応する区分領域内に割り当て配置すると共に、撮影画像を割り当てた区分領域毎に、その区分期間に関連する時代情報を取得して一覧画面の表示に合わせて出力するようにしたから、区分領域に配置された画像とリンクした時代情報を知ることができ、その区分期間での思い出、印象などを蘇らせることが可能となる。言い換えれば、表示対象期間として指定された指定期間の全体に共通する時代情報を漠然と表示するのではなく、区分領域に割り当てられた画像を撮影したときの出来事などを個別時代情報として表示するため、画像とリンクした時代情報を知ることができる。
【００２２】
請求項９記載の発明によれば、上述した請求項８記載の発明と同様の効果を有する他、
撮影画像が割り当てられた区分領域が複数存在する場合に、この区分毎にその時代情報をそれぞれ取得して順次出力するようにしたから、たとえば、画像が割り当てられている複数の区分領域の順番通りに、対応する個別時代情報をスライドショー形式で逐次切り換えて表示することもできる。この場合、現在表示中の時代情報は、どの区分に関連するものかを容易に知ることが可能となる。
【００２３】
請求項１０記載の発明によれば、上述した請求項  記載の発明と同様の効果を有する他、撮影画像が割り当てられた区分領域が複数存在する場合に、この区分毎に時代情報をそれぞれ取得しておき、一覧画面内から任意の画像が選択指定された際に、この選択画像に対応する時代情報を出力するようにしたから、選択画像と時代情報とをより確実に対応付けることが可能となる。
【発明を実施するための最良の形態】
【００２４】
(実施例１)
以下、図１〜図７を参照して本発明の第１実施例を説明する。
この実施例は、画像再生装置として、画像再生機能を備えた電子アルバム装置に適用した場合を例示したもので、図１は、この電子アルバム装置の基本的な構成要素を示したブロック図である。
この電子アルバム装置は、デジタルカメラ装置あるいはそのメモリカードを介して外部供給された多数の撮影画像(この実施例においては、カラー静止画、以下同様)を取得して、アルバム情報として収集保管したり、保管されている各撮影画像をその撮影日時などに基づいて選択的に読み出して再生表示するもので、画像の再生表示は、電子アルバム装置にケーブル接続されているＴＶ(テレビジョン)受像機側で行うようにしている。
【００２５】
そして、この電子アルバム装置においては、ユーザ操作によって画像の一覧表示(カレンダ表示)が指示された際に、この一覧画面(カレンダ画面)内に月単位あるいは日単位毎に撮影画像を１枚ずつ割り当て配置するようにしている。この場合、カレンダ表示の対象として任意の表示対象期間が入力指定されると、この表示対象期間を月単位あるいは日単位毎に区分すると共に、各区分期間に対応して画像貼付用の区分領域を配置したカレンダ画面を生成表示し、この区分領域毎にその区分期間内で撮影された撮影画像を特定してカレンダ画面内の対応する区分領域内に割り当て配置するようにしている。
なお、この実施例の特徴部分を詳述する前に、この実施例のハードウェア上の構成について以下、説明しておく。
【００２６】
ＣＰＵ１は、内部記憶部２内の各種プログラムに応じてこの電子アルバム装置の全体動作を制御する中央演算処理装置である。内部記憶部２は、プログラム領域およびデータ領域を有する内蔵ハードディスク(ＨＤＤ)である。この内部記憶部２内のプログラム領域には、後述する図６および図７に示す動作手順に応じて本実施例を実現するためのプログラムが格納され、また、そのデータ領域には、撮影画像を保管する画像フォルダなどが設けられている。この画像フォルダは、たとえば、家族全員の写真など、過去に撮影された全ての撮影画像をアルバム情報として、１画像１ファイル形式で記憶管理するためのフォルダである。
【００２７】
この画像ファイルのヘッダー部には、自動的に付加された「画像ファイル番号(一連番号)」、任意に入力付加された「タイトル名」などのほかに、自動的に付加された「撮影日時」が設定されている。「撮影日時」は、画像を撮影したときの日時を示し、年月日および時分を含む情報である。この内部記憶部２内のプログラム、データは、必要に応じてＲＡＭ（たとえば、スタティックＲＡＭ）３にロードされたり、このＲＡＭ３内のデータが内部記憶部２にセーブされる。なお、ＲＡＭ３は、プログラム実行領域と作業領域とを有している。
【００２８】
ＣＰＵ１には、その入出力周辺デバイスであるキー入力部４、ＴＶ受像機５が接続されているほか、リモートコントローラ(リモコン)用Ｉ／Ｆ(インターフェイス)６を介してリモコン７が接続されていると共に、カードドライブ８を介してメモリカード９が接続され、ＣＤ(Compact Disc)／ＤＶＤ(Digital Video Disc)ドライブ１０を介して可搬型の外部記録メディアである再生補助用のＣＤ／ＤＶＤ１１が接続され、さらには、外部コネクタ部１２を介してデジタルカメラ装置１３が接続可能となっている。
【００２９】
キー入力部４は、カメラ撮影された撮影画像の保存を指示する保存ボタン、撮影画像の一覧表示を指示する一覧表示(カレンダ表示)ボタンなど、各種のキーおよびボタンを有し、カレンダ表示時には任意の表示対象期間の入力指定を行う。ＴＶ受像機５は、撮影画像の再生表示および音声再生用などとして使用される外部機器である。なお、電子アルバム装置側に専用の表示装置を設けるようにしてもよいが、この実施例においては、後述する画像一覧表示は、ＴＶ受像機５側の表示画面で行うようにしている。リモコン７は、遠隔操作を行う入力操作部であり、キー入力部４に対応する各種のボタン、キーなどが設けられている。
【００３０】
メモリカード９は、ＳＤカード、メモリステイクなどであり、デジタルカメラ装置１３で撮影された画像データを電子アルバム装置に外部供給するための画像記録メディアであり、このメモリカード９がそのカードドライブ８のスロットに挿入セットされた際に、カードドライブ８は、カードセット有り信号を出力してＣＰＵ1に与える。
ＣＤ／ＤＶＤ１１は、過去の各時代に対応して年度別にそのときのニュースなどの出来事、流行曲、流行映画などを想起可能な文字情報(時代情報)が格納されているもので、その内容はパーソナルコンピュータ(図示せず)などを利用することによってインターネットを介して定期的あるいは必要に応じて更新可能となっている。ＣＤ／ＤＶＤドライブ１０は、そのトレイにＣＤ／ＤＶＤ１１が挿入セットされると、ディスクセット有り信号を出力してＣＰＵ１に与えるほか、ＣＰＵ１の制御下でＣＤ／ＤＶＤ１１をアクセスして時代情報を読み出す。
【００３１】
図２は、ＣＤ／ＤＶＤ１１に格納されている時代情報を説明するための図である。
なお、図示の例では、「１９６０年度」の時代情報を示している。ＣＤ／ＤＶＤ１１は、たとえば、過去６０年分の年月日に対応して日毎にその時代情報を記憶管理するもので、図示のように、「１９６０年度」の１年間において、同年１月１日から１２月末日までの時代情報が日毎に記憶されている。すなわち、「１９６０年度」の１年間分の時代情報は、この１年間に起きた代表的な時代情報(年間時代情報)に続き、同年１月に起きた代表的な時代情報(月間時代情報)と、同年１月１日から３１日まで起きた日毎の時代情報(日間時代情報)が記憶され、さらに、２月の月間時代情報と２月の各日毎の日間時代情報が順次記憶され、以下、同様に、３月〜１２月の月間時代情報および日間時代情報が順次記憶された構成となっている。
【００３２】
図３は、任意に指定された表示対象期間が１９６０年の場合に、この１年間を月単位で区分したカレンダ画面を示し、また、図４は、任意に指定された表示対象期間が１９６０年９月の場合に、この月を日単位で区分したカレンダ画面を示した図である。
ここで、キー入力部４から１９６０年が指定された際には、この１年間を１月〜１２月の領域に区分したカレンダ画面が生成表示され、１９６０年９月が入力指定された際には、この１ヶ月を１日〜３０日の領域に区分したカレンダ画面が生成表示される。この区分領域は、画像貼り付け用の領域であり、１つの区分領域には１枚の画像が貼り付け表示される。なお、各区分領域の左上隅部には、該当する「月」あるいは「日付」が数値表示されている。また、図４においては、カレンダ画面の上側には、七曜日が表示されている。
【００３３】
このカレンダ画面内の区分領域には、その区分期間で撮影された撮影画像が１枚ずつ割り当て配置されている。なお、図中、斜線を付した区分領域は、画像が貼り付けられている領域を示している。たとえば、図３の例では、２月、６月以外の各区分領域に画像が貼り付けられ、図４の例では、特に、土曜日、日曜日、祭日の区分領域に画像が貼り付けられている。この実施例では、カレンダ画面内の各区分領域は、それぞれ同一サイズとなっており、この区分領域内に貼り付けられる画像のサイズは、区分領域の大きさに相当している。また、画像が貼り付けられた区分領域内において、その左上隅部に位置する「月」あるいは「日付」の表示色は、画像が貼り付けられると、この「月」あるいは「日付」と重なり合う画像部分の表示色に応じてその補色に変更される。
【００３４】
ここで、ＣＰＵ１は、任意に指定された表示対象期間に基づいて内部記憶部２内の画像フォルダをアクセスし、各画像に付加されている「撮影日時」を参照することによって当該表示対象期間内に撮影された全ての画像を読み出すと共に、カレンダ画面内の各区分領域に対応する区分期間毎に分類するようにしている。すなわち、表示対象期間として、図３に示すように１９６０年が入力指定された場合には、１９６０年に撮影された全ての画像を読み出して１月〜１２月の区分期間毎に分類し、図４に示すように１９６０年９月が入力指定された場合には、１９６０年９月に撮影された全ての画像を読み出して１日〜３０日の区分期間毎に分類するようにしている。
【００３５】
そして、ＣＰＵ１は、各画像に対応付けられている操作履歴情報(後述する)を参照し、この操作履歴情報に基づいて分類毎に１つの画像を選択しながらカレンダ画面内の対応する区分領域内に撮影画像を割り当て配置するようにしている。つまり、１つの分類に複数の画像が該当する場合には、複数の画像の中から優先的に表示する１枚の画像を操作履歴情報の内容に基づいて選択すると共に、この選択画像を対応する区分領域内に割り当て配置するようにしている。このように区分期間内において１枚でも撮影が行われている場合には、対応する区分領域内に画像が割り当て配置されるが、区分期間内に１枚も撮影が行われていない場合にし、その区分領域は空欄となる。
【００３６】
また、カレンダ画面の下部領域には、ＣＤ／ＤＶＤ１１から読み出された時代情報が付加表示される。ここで、ＣＰＵ１は、任意に指定された表示対象期間に基づいてＣＤ／ＤＶＤ１１をアクセスし、その表示対象期間に対応付けられている時代情報を読み出してカレンダ画面の下部領域に表示させるが、その際、該当する時代情報が複数検索された場合には、カレンダ画面の下部領域に表示可能な数の時代情報を選択して一覧表示するようにしている。なお、予め設定されている最大表示数分の時代情報を一覧表示するようにしてもよい。図３のカレンダ画面には、１９６０年の出来事として、「ローマオリンピック」、「だっこちゃんブーム」、「カラーテレビ放送開始」が一覧表示され、また、図４のカレンダ画面には、１９６０年９月の出来事として、「カラーテレビ放送開始」、「ＯＰＥＣ結成」が一覧表示されている。
【００３７】
図５は、操作履歴管理テーブル２１の内容を示した図である。
この操作履歴管理テーブル２１は、アルバム情報として保管されている各撮影画像毎に、その「画像ファイル番号」と「操作履歴情報」とを対応付けて記憶管理するためのテーブルである。この操作履歴情報は、「閲覧回数」、「印刷有無」、「メール添付有無」の各項目を有している。「閲覧回数」は、過去に画像を再生表示した回数であり、画像再生が行われる毎にその値はプラス１ずつ更新される。「印刷有無」は、過去に画像を印刷したことがあるか否かを示すフラグであり、１回でも印刷された場合には当該項目に印刷有りを示すフラグがセットされる。「メール添付有無」は、過去に画像を電子メールに添付したことがあるか否かを示すフラグであり、１回でも画像をメールに添付した場合には当該項目に添付有りを示すフラグがセットされる。
【００３８】
ここで、ＣＰＵ１は、各分類毎に１つの画像を選択する際に、各画像に対応する操作履歴情報の「閲覧回数」、「印刷有無」、「メール添付有無」を比較し、その中で「閲覧回数」が最も多い画像を選択するようにしているが、「閲覧回数」が同じ値であれば、「印刷有り」あるいは「メール添付有り」の画像を選択するようにしている。なお、「閲覧回数」、「印刷有無」、「メール添付有無」に基づいて画像選択をどのようにして行うかは任意であり、たとえば、「印刷有り」あるいは「メール添付有り」の画像を第１優先としたり、「閲覧回数」が５回以上で、「印刷有り」あるいは「メール添付有り」の画像を第１優先とするなど、任意である。
【００３９】
次ぎに、この実施例における電子アルバム装置の動作概念を図６および図７に示すフローチャートを参照して説明する。ここで、これらのフローチャートに記述されている各機能は、読み取り可能なプログラムコードの形態で格納されており、このプログラムコードにしたがった動作が逐次実行される。また、伝送媒体を介して伝送されてきた上述のプログラムコードに従った動作を逐次実行することもできる。このことは、後述する他の実施例においても同様であり、記録媒体の他に、伝送媒体を介して外部供給されたプログラム／データを利用してこの実施例特有の動作を実行することもできる。
【００４０】
図６および図７は、画像一覧表示(カレンダ表示)がユーザ操作によって指示された際に実行開始される電子アルバム装置の動作を示したフローチャートである。
先ず、ＣＰＵ１は、表示対象期間の入力を促すメッセージ表示に応答してキー入力部４から任意に入力された表示対象期間を取り込み(ステップＡ１)、この表示対象期間は、年指定の情報か年月指定の情報かを判別する(ステップＡ２)。この場合、入力された期間データの中に年のみが含まれているか、年月が含まれているかに応じて年指定の情報か年月指定の情報かを判別する。
【００４１】
いま、図３のように「１９６０年」が入力指定された場合には年指定の情報と判別し、この表示対象期間を月単位毎の１月〜１２月に区分するが (ステップＡ３)、図４のように「１９６０年9月」が入力指定された場合には年月指定の情報と判別し、この表示対象期間を日単位毎の１日〜３０日に区分する(ステップＡ４)。そして、この区分期間毎に対応する区分領域を配置した一覧画面(カレンダ画面)を生成してＴＶ受像機５側の画面に表示出力させる(ステップＡ５)。このカレンダ画面には、図３あるいは図４に示すように、表示対象期間を示す数値情報がそのヘッダー部に表示されるほか、各月を示す数値情報あるいは各日を示す数値情報が対応する区分領域内の左上隅部に配置表示される。
【００４２】
このように表示対象期間に対応するカレンダ画面を生成表示した後、ＣＰＵ１は、この表示対象期間に基づいて内部記憶部２内の画像フォルダをアクセスし、各画像に付加されている「撮影日時」を参照することによって当該表示対象期間内に撮影された全ての画像を読み出すと共に(ステップＡ６)、これらの読み出し画像を各区分期間に対応して月単位あるいは日単位毎に分類する(ステップＡ７)。そして、先頭の区分期間を指定し(ステップＡ８)、この指定区分(分類)に該当する画像が１枚でも存在しているかをチェックする(ステップＡ９)。つまり、表示対象期間が１９６０年であれば、その年の１月の何れかの日に撮影された画像、１９６０年９月であれば、その月の１日目に撮影された画像が存在しているかをチェックし、１枚も撮影されていない場合には(ステップＡ９でＮＯ)、次ぎの区分を指定するためにステップＡ１７に移るが、１枚でも撮影されていれば、該当する画像数は複数かを調べる(ステップＡ１０)。
【００４３】
いま、指定区分内で撮影された画像が１枚だけであれば(ステップＡ１０でＮＯ)、この画像を所定サイズに変換した後に、カレンダ画面内の指定区分領域内に割り当て配置する(ステップＡ１１)。また、複数撮影されている場合には(ステップＡ１０でＹＥＳ)、指定区分に該当する各画像のファイル番号を取得し、各ファイル番号に基づいて操作履歴管理テーブル２１を検索して、該当する操作履歴情報をそれぞれ読み出すと共に(ステップＡ１２)、各操作履歴情報を構成する「閲覧回数」、「印刷有無」、「メール添付有無」を比較しながら優先表示する画像を選択する(ステップＡ１３)。
【００４４】
この場合、上述したように、優先表示する画像をどのようにして選択するかは、任意であるが、たとえば、「閲覧回数」の多い画像を選択するようにしている。この際、「閲覧回数」が同じであれば、「印刷有無」および「メール添付有無」の項目が共に“有り”の画像を選択したり、その項目の何れかが“有り”の画像を選択すればよい。なお、「閲覧回数」、「印刷有無」、「メール添付有無」の内容が全て同じであれば、それら撮影日時、撮影順などを加味することによって１枚の画像を選択するようにしてもよい。このようにして複数の画像から１枚の画像が選択されると、この選択画像を所定サイズに変換した後にカレンダ画面内の指定区分領域内に割り当て配置する(ステップＡ１４)。
【００４５】
次ぎに、指定区分の期間に基づいてＣＤ／ＤＶＤ１１をアクセスし、この指定区分に対応する時代情報を読み出し取得する(ステップＡ１５)。なお、ＣＤ／ＤＶＤ１１から区分期間毎に読み出された時代情報を「個別時代情報」と呼称するものとする。この個別時代情報を当該指定区分に対応付けてＲＡＭ３のワーク域内に一時記憶保持しておく(ステップＡ１６)。そして、次ぎの区分を指定した後(ステップＡ１７)、未指定の区分が残っているか否かによって区分指定が終了したかをチェックし(ステップＡ１８)、全区分に対する処理が終了するまでステップＡ９に戻って上述の動作を１区分毎に繰り返す。このようにして各区分領域を順次指定しながらカレンダ画面内の区分領域内に該当する画像を１枚ずつ割り当て配置する処理が終了した際には、表示対象期間に基づいてＣＤ／ＤＶＤ１１をアクセスし、この表示対象期間に対応する時代情報を読み出し取得すると共に(ステップＡ１９)、この時代情報をカレンダ画面の下部領域に挿入配置して付加表示させる(ステップＡ２０)。ここで、図３の場合には、年間時代情報、図４の場合には、月間時代情報が挿入表示される。
【００４６】
このような画像一覧画面(カレンダ画面)が表示出力されている状態において、何れかの区分領域内に表示されている画像がカーソル操作などによって任意に選択指定されると(ステップＡ２１でＹＥＳ)、ＣＰＵ１は、ポップアップ画面を開き、選択指定された画像を拡大表示(フォーカス表示)すると共に(ステップＡ２２)、この選択画像に対応して一時記憶保持されている当該区分対応の個別時代情報を読み出して上述のポップアップ画面に付加表示させる(ステップＡ２３)。ここで、図３の場合には、月間時代情報、図４の場合には、日間時代情報がポップアップ表示される個別時代情報となる。以下、一覧表示の終了がユーザ指示されるまで(ステップＡ２４)、画像選択が行われる毎に選択画像と共にその個別時代情報がポップアップ表示される。
【００４７】
以上のように、この第１実施例においてＣＰＵ１は、キー入力部４から任意の期間が表示対象期間として指定された場合に、この表示対象期間を月単位、日単位の何れかで区分すると共に、各区分期間に対応して、画像貼付用の区分領域を配置したカレンダ画面を生成してＴＶ受像機５側の画面に表示出力させるほか、区分領域毎にその区分期間内で撮影された撮影画像をカレンダ画面内の対応する区分領域内にそれぞれ割り当て配置する際に、区分領域内に対応する全ての撮影画像を配置不能な場合には、撮影画像に対応して予め設定されている操作履歴情報に基づいて優先的に表示する画像を選択して当該区分領域内に配置するようにしたから、区分毎に最適な画像を自動的に選択して割り当て配置することができる。たとえば、カレンダ画面内に各日付毎の撮影画像を割り当て配置する際に、日毎に所望する画像を選択する操作を行わなくても、過去の操作履歴から自動選択された画像をカレンダ画面内に配置することが可能となる。
この場合、ＣＰＵ１は、操作履歴管理テーブル２１の「閲覧回数」、「印刷有無」、「メール添付有無」を参照して、画像の出力実績に応じて優先表示する画像を選択するようにしたから、価値の高い最適な画像を代表画像として選択することができる。
【００４８】
また、ＣＰＵ１は、表示対象期間に関連する時代情報を取得してカレンダ画面の下側領域に表示するようにしたから、指定期間での出来事、流行などをカレンダ画面内の各画像を見ながら知ることができ、その時代での思い出、印象などを蘇らせることが可能となると共に、画像一覧と時代情報との対応が明瞭となる。さらに、カレンダ画面内に貼付表示される個々の画像の区分期間に関連する個別時代情報を取得し、カレンダ画面内から任意の画像が選択指定された際に、この選択画像に対応する個別時代情報をポップアップ表示するようにしたから、表示期間の全体に関連する時代情報のほか、画像とリンクした個別の時代情報を知ることができる。
【００４９】
なお、上述した第１実施例においては、カレンダ画面内の下部領域に表示可能な数の時代情報(表示対象期間対応の時代情報)を一覧表示するようにしたが、この時代情報の表示位置は任意であり、カレンダ画面の外部近傍に一覧表示するようにしてもよい。また、表示対象期間に対応する複数の時代情報をスクロール表示したり、自動的に切り換え表示したり、手動操作によって切り換え表示するようにしてもよい。
また、操作履歴情報に基づいて優先表示する１枚の画像を選択して対応する区分領域内に配置表示した後において、ユーザ操作によって次画像表示の指示に応答し、優先順位が２番目の次画像を選択して対応する区分領域内に配置表示するようにしてよい。
（実施例２）
【００５０】
以下、この発明の第２実施例について図８を参照して説明する。
なお、上述した第１実施例においては、表示対象期間に対応する複数の時代情報をカレンダ画面内の下部領域に一覧表示する場合を例示したが、この第２実施例においては、カレンダ画面内に画像が割り当て表示されている区分領域を特定し、この区分毎にその期間での個別時代情報を取得し、各個別時代情報をスライドショー形式で逐次切り換え表示するようにしたものである。
ここで、両実施例において基本的あるいは名称的に同一のものは、同一符号を付して示し、その説明を省略すると共に、以下、第２実施例の特徴部分を中心に説明するものとする。
【００５１】
なお、この第２実施例においても、図２に示すようにＣＤ／ＤＶＤ１１には、過去６０年分の年月日に対応して日毎にその時代情報が格納されており、また、図５に示した操作履歴管理テーブル２１が設けられている。そして、任意に入力指定された表示対象期間に基づいて当該期間のカレンダ画面を表示出力させると共に、このカレンダ画面を構成する各区分領域内に該当する画像を割り当て表示するようにしている。この際、１区分１画像で割り当て配置するため、１区分に複数の画像が存在する場合には、操作履歴管理テーブル２１を参照することによってその中から１つの画像を代表画像として選択して配置するようにしている。
【００５２】
図８は、第２実施例において、画像一覧表示(カレンダ表示)がユーザ操作によって指示された際に実行開始される電子アルバム装置の動作を示したフローチャートである。
先ず、ＣＰＵ１は、上述した第１実施例と同様に、キー入力部４から任意の表示対象期間が入力されると(ステップＢ１)、年指定あるいは年月指定に対応する一覧画面(カレンダ画面)を生成してＴＶ受像機５側の画面に表示出力させる(ステップＢ２)。そして、この表示対象期間に基づいて内部記憶部２内の画像フォルダをアクセスし、各画像に付加されている「撮影日時」を参照することによって当該表示対象期間内に撮影された全ての画像を読み出すと共に、これらの読み出し画像を各区分期間に対応して月単位あるいは日単位毎に分類する(ステップＢ３)。そして、先頭の区分期間を指定し(ステップＢ４)、この指定区分に該当する画像をカレンダ画面内の指定区分領域内に割り当て配置する(ステップＢ５)。なお、指定区分に該当する画像が複数存在している場合には、操作履歴管理テーブル２１を参照することによってその中から１つの画像を代表画像として選択して配置する。
【００５３】
次ぎに、指定区分の期間に基づいてＣＤ／ＤＶＤ１１をアクセスし、この指定区分に対応する個別時代情報を読み出し (ステップＢ６)、この個別時代情報を当該指定区分に対応付けてＲＡＭ３に一時記憶保持しておく(ステップＢ７)。そして、次ぎの区分を指定した後(ステップＢ８)、未指定の区分が残っているか否かによって区分指定が終了したかをチェックし (ステップＢ９)、全区分に対する処理が終了するステップＢ５に戻って上述の動作を１区分毎に繰り返す。このようにして各区分領域を順次指定しながらカレンダ画面内の区分領域内に該当する画像を１枚ずつ割り当て配置する処理が終了した際には、ユーザ操作によって時代情報の出力指示を受けたかをチェックする(ステップＢ１０)。
【００５４】
いま、時代情報の出力指示を受けた場合には(ステップＢ１０でＹＥＳ)、上述のように一時記憶保持させておいた個別時代情報をそれぞれ読み出す(ステップＢ１１)。この場合、カレンダ画面内の複数の区分領域に画像が割り当てられた場合には、各区分に対応する個別時代情報をそれぞれ読み出す。ここで、読み出された時代情報は１つかを判別し(ステップＢ１２)、１つであれば、この個別時代情報をカレンダ画面の下側領域に固定的に配置表示させるが(ステップＢ１３)、複数の個別時代情報が読み出された場合には、この複数の個別時代情報を一定の時間間隔(たとえば、５秒間隔)毎に、カレンダ画面の下側領域に順次切り換え表示させる(ステップＢ１４)。
【００５５】
つまり、画像が割り当てられている複数の区分領域の順番通りに、対応する個別時代情報をスライドショー形式で逐次切り換え表示させる。この場合、最後の個別時代情報を表示した後は、先頭の個別時代情報の再表示を行うサイクリック表示となる。たとえば、図３のカレンダ画面において、１９６０年の１１月および１２月の区分領域のみに画像が配置され、その他の各区分領域には画像が配置されていないものとすると、１９６０年の１１月および１２月での出来事のみが順次切り換え表示される。
【００５６】
このようにカレンダ画面内に個別時代情報が表示されている状態において、何れかの区分領域内に表示されている画像がカーソル操作などによって任意に選択指定されると(ステップＢ１５でＹＥＳ)、ＣＰＵ１は、上述した第１実施例と同様に、ポップアップ画面を開き、選択指定された画像を拡大表示(フォーカス表示)すると共に(ステップＢ１６)、この選択画像に対応して一時記憶保持されている当該区分対応の個別時代情報を読み出して上述のポップアップ画面に付加表示させる(ステップＢ１７)。以下、一覧表示の終了がユーザ指示されるまで(ステップＢ１８)、上述のステップＢ１０に戻る。
【００５７】
以上のように、この第２実施例においてＣＰＵ１は、キー入力部４から任意の期間が表示対象期間として指定された場合に、この表示対象期間を月単位、日単位の何れかで区分すると共に、各区分期間に対応して、画像貼付用の区分領域を配置したカレンダ画面を生成してＴＶ受像機５側の画面に表示出力させるほか、区分領域毎にその区分期間内で撮影された撮影画像を特定し、区分毎に特定された撮影画像をカレンダ画面内の対応する区分領域内に割り当て配置すると共に、撮影画像を割り当てた区分領域毎に、その区分期間に関連する個別時代情報を取得してカレンダ画面内に表示するようにしたから、区分領域に配置された画像とリンクした時代情報を知ることができ、その区分期間での思い出、印象などを蘇らせることが可能となる。言い換えれば、表示対象期間として指定された指定期間の全体に共通する時代情報を漠然と表示するのではなく、区分領域に割り当てられた画像を撮影したときの出来事などを個別時代情報として表示するため、画像とリンクした時代情報を知ることができる。
【００５８】
この場合、撮影画像が割り当てられた区分領域が複数存在する場合に、ＣＰＵ１は、この区分毎にその時代情報をそれぞれ取得して順次表示するようにしたから、すなわち、カレンダ画面内に画像が割り当てられている複数の区分領域の順番通りに、対応する個別時代情報をスライドショー形式で逐次切り換えて表示するようにしたから、現在表示中の時代情報は、どの区分に関連するものかを容易に知ることができる。また、カレンダ画面内から任意の画像が選択指定された際に、この選択画像に対応する個別時代情報をポップアップ表示するようにしたから、選択画像と時代情報とをより確実に対応付けることが可能となる。
【００５９】
なお、上述した第２実施例において、画像が割り当てられている複数の区分領域の順番通りに、対応する個別時代情報をスライドショー形式で逐次切り換え表示する際に、この時代情報の切り換え表示に連動させて、該当する区分領域、その領域内の画像、月／日情報を点滅表示などによって識別可能とすれば、現在表示中の時代情報は、どの区分に関連するかをより確実に知ることができる。
【００６０】
また、上述した第１および第２実施例においては、カレンダ画面を構成する各区分領域内に画像を貼り付ける際に、１区分１画像とした場合を例示したが、１区分に複数画像を配置するようにしてもよい。たとえば、図３のカレンダ画面において、月毎の区分領域に最大５枚の画像を貼り付け可能としてもよい。この場合、ＣＰＵ１は、１つの区分領域内に貼り付け可能な数の画像(最大５枚)を選択すると共に、選択された各画像をその操作履歴情報に応じた並び順にソートして配置するようにしてもよい。
【００６１】
また、カレンダ画面を構成する各区分領域の大きさを一定とする場合に限らず、区分領域毎にその大きさが異なるものであってもよい。たとえば、撮影枚数が５枚未満の場合には、区分領域の大きさを１枚分とするが、５枚以上の場合には、区分領域の大きさを２枚分とするなど、撮影枚数に応じて区分領域の大きさを変更するようにしてもよい。
【００６２】
上述した第１および第２実施例においては、表示対象期間として、年指定と年月指定の場合を例示したが、これに限らず、たとえば、１９６０年〜１９７０年のように複数年を指定するようにしてもよい。この場合、カレンダ画面には、各年に対応して１０個の区分領域が配置表示される。また、１９６１年〜１９６２年の２年間が指定された場合には、各年毎に１月〜１２月の区分領域を配置表示するようにしてもよい。さらに、１９６０年９月１０日〜２０日のように、日単位の期間を表示対象期間として指定するようにしてもよい。この場合、１０日〜２０日に対応して１１個の区分領域を配置表示すればよい。その他、表示対象期間をどのように指定するかは任意であり、指定された表示対象期間を年単位、月単位、日単位の何れかで区分するようにすればよい。
【００６３】
上述した第１および第２実施例においては、ＣＤ／ＤＶＤ１１から時代情報を読み出し取得するようにしたが、広域通信機能を備えた電子アルバム装置にあっては、カレンダ表示が指示される毎にインターネットを介してコンテンツサーバをアクセスし、該当する時代情報を取得するようにしてもよい。
また、時代情報を表示出力する場合に限らず、カレンダ画面の表示に合わせて時代情報を音声合成して出力したり、その時代の流行曲をバックグランドミュージックとして音楽出力するようにしてもよい。
【００６４】
上述した第１および第２実施例においては、操作履歴情報を「閲覧回数」、「印刷有無」、「メール添付有無」とした場合を例示したが、そのほかに「画像再生の頻度」、「画像再生のトータル時間」、「画像印刷のトータル枚数」、「印刷時の画像サイズ」などを操作履歴情報としてもよい。
また、指定された表示対象期間に該当する撮影画像を検索する際に、たとえば、お気に入り画像として予め選択格納しておいてお気に入りフォルダ内から該当画像を検索するようにしてもよい。
【００６５】
その他、カレンダ画面内に配置表示される画像は、静止画に限らず、動画であってもよい。カレンダ付きの画像一覧画面に限らず、カレンダ表示が付加されていない画像一覧画面であってもよい。さらに、電子アルバム装置に限らず、ハードディスクレコーダ、パーソナルコンピュータ、デジタルカメラ(コンパクトカメラ)などにも同様に適用可能であり、また、スタンドアロンタイプに限らず、その各構成要素が２以上の筐体に物理的に分離され、通信回線、ケーブル等の有線伝送路あるいは電波、マイクロウエーブ、赤外線等の無線伝送路を介してデータを送受信する分散型のシステムであってよもよい。
【００６６】
一方、コンピュータに対して、上述した各手段を実行させるためのプログラムコードをそれぞれ記録した記録媒体（たとえば、ＣＤ−ＲＯＭ、フレキシブルディスク、ＲＡＭカード等）を提供するようにしてもよい。すなわち、コンピュータが読み取り可能なプログラムコードを有する記録媒体であって、任意の表示対象期間が指定された場合に、この表示対象期間を年単位、月単位、日単位の何れかで区分すると共に、各区分期間に対応して画像貼付用の区分領域を配置した一覧画面を生成して表示する機能と、各撮影画像の撮影日時を参照することによって前記区分領域毎にその区分期間内で撮影された撮影画像を特定する機能と、特定された区分領域毎の撮影画像を前記一覧画面内の対応する区分領域内に割り当て配置する際に、この区分に該当する全ての撮影画像を配置不能な場合には、これらの撮影画像に対応して予め設定されている操作履歴情報に基づいて優先的に表示する画像を選択して当該区分領域内に配置する機能とを実現させるためのプログラムを記録したコンピュータが読み取り可能な記録媒体を提供するようにしてもよい。
【００６７】
また、コンピュータが読み取り可能なプログラムコードを有する記録媒体であって、任意の表示対象期間が指定された場合に、この表示対象期間を年単位、月単位、日単位の何れかで区分すると共に、各区分期間に対応して画像貼付用の区分領域を配置した一覧画面を生成して表示する機能と、各撮影画像の撮影日時を参照することによって前記区分領域毎にその区分期間内で撮影された撮影画像を特定する機能と、特定された区分領域毎の撮影画像を前記一覧画面内の対応する区分領域内に割り当て配置する機能と、前記一覧画面内において撮影画像が割り当てられた区分領域毎に、その区分期間に関連する時代情報を取得する機能と、取得した時代情報を前記一覧画面の表示に合わせて出力する機能とを実現させるためのプログラムを記録したコンピュータが読み取り可能な記録媒体を提供するようにしてもよい。
【図面の簡単な説明】
【００６８】
【図１】電子アルバム装置の基本的な構成要素を示したブロック図。
【図２】ＣＤ／ＤＶＤ１１に格納されている時代情報を説明するための図。
【図３】任意に指定された表示対象期間が１９６０年の場合に、この１年間を月単位で区分したカレンダ画面を例示した図。
【図４】任意に指定された表示対象期間が１９６０年９月の場合に、この月を日単位で区分したカレンダ画面を例示した図。
【図５】操作履歴管理テーブル２１の内容を示した図。
【図６】画像一覧表示(カレンダ表示)がユーザ操作によって指示された際に実行開始される電子アルバム装置の動作を示したフローチャート。
【図７】図６に続く、フローチャート。
【図８】第２実施例において、画像一覧表示(カレンダ表示)がユーザ操作によって指示された際に実行開始される電子アルバム装置の動作を示したフローチャート。
【符号の説明】
【００６９】
１  ＣＰＵ
２  内部記憶部
３  ＲＡＭ
４  キー入力部
５  ＴＶ受像機
９  メモリカード
１１  ＣＤ／ＤＶＤ
１３  デジタルカメラ装置
２１  操作履歴管理テーブル
【図１】
2006157778.tif 000003
【図２】
2006157778.tif 000004
【図３】
2006157778.tif 000005
【図４】
2006157778.tif 000006
【図５】
2006157778.tif 000007
【図６】
2006157778.tif 000008
【図７】
2006157778.tif 000009
【図８】
2006157778.tif 000010